(57)【特許請求の範囲】
【請求項１】
ネットワークラックに取り付け可能なケーブルマネージャにおいて、
中央部分であって、ネットワークラック内に嵌まり得る寸法とされた長手方向幅と、所定の高さと、前側部と、後側部と、前記中央部分の長手方向両端に設けられたラック取り付け穴とを有する、中央部分と、
前記中央部分の前記前側部から伸びる前側ケーブル配線部分であって、前記中央部分の前記前側部から水平方向に伸びる複数の隔たった指状体を有する前側ケーブル配線部分とを備え、
前記複数の隔たった指状体の各々は、その上方に配線されたケーブルの曲げ半径の制御を可能にする円弧状面を有し、前記円弧状面に沿って中間に配置され且つ前記指状体の末端から前記指状体の基端に向けて伸びるようにスリットが設けられ、
前記指状体の各々は、前記円弧状面上で前記末端付近から隣接する前記指状体との間の受け入れスペース内に水平方向に伸びる一対の耳状体が背中合わせに設けられ、
前記耳状体は、前記受け入れスペース内へのケーブルの挿入及び前記受け入れスペースからのケーブルの除去を助ける、ケーブルマネージャ。
【請求項２】
請求項１のケーブルマネージャにおいて、前記複数の隔たった指状体の複数のものの末端から伸びる保持フランジを更に備える、ケーブルマネージャ。
【請求項３】
請求項１のケーブルマネージャにおいて、前記複数の隔たった指状体が２つの隔たった列に配置される、ケーブルマネージャ。
【請求項４】
請求項３のケーブルマネージャにおいて、前記２つの隔たった列の隣接する前記指状体に形成された対向する一対の前記耳状体に取り付け可能な前側カバーを更に備える、ケーブルマネージャ。
【請求項５】
請求項４のケーブルマネージャにおいて、前側カバーが、前記耳状体の隣接するものの間にヒンジ式に取り付けられて、ヒンジ式カバーを開き位置と閉じた位置との間に配置することを許容するヒンジブラケットを有するヒンジ式カバーである、ケーブルマネージャ。
【請求項６】
請求項５のケーブルマネージャにおいて、前記ヒンジ式カバーが、前記ヒンジ式カバーを開き位置に係止し得るように前記耳状体の１つと係止可能な係止タブを更に備える、ケーブルマネージャ。
【請求項７】
請求項４のケーブルマネージャにおいて、前記前側カバーが解放タブを備える、ケーブルマネージャ。
【請求項８】
請求項１のケーブルマネージャにおいて、前記中央部分の前記後側部から伸びる後側ケーブル配線部分であって、前記中央部分の前記後側部から水平方向に伸びる第二の複数の隔たった指状体を有する前記後側ケーブル配線部分を更に備える、ケーブルマネージャ。
【請求項９】
請求項８のケーブルマネージャにおいて、保持フランジが、前記第二の複数の隔たった指状体の列の両端のものの末端から伸びる、ケーブルマネージャ。
【請求項１０】
請求項８のケーブルマネージャにおいて、前記中央部分が、前記前側ケーブル配線部分と前記後側ケーブル配線部分との間へのアクセスを可能にする少なくとも１つの貫通する開口部を更に備える、ケーブルマネージャ。
【請求項１１】
請求項８のケーブルマネージャにおいて、前記第二の複数の隔たった指状体が２つの隔たった列状に配置される、ケーブルマネージャ。
【請求項１２】
請求項１１のケーブルマネージャにおいて、前記第二の複数の隔たった指状体の前記２つの隔たった列の各々にて隣接する前記指状体に形成された対向する一対の前記耳状体に取り付け可能な後側カバーを更に備える、ケーブルマネージャ。
【請求項１３】
請求項１１のケーブルマネージャにおいて、前記中央部分の前記後側部が下降段付き部分を有し、２つの隔たった列が前記中央部分の所定の高さよりも低い高さを有するようにした、ケーブルマネージャ。
【請求項１４】
請求項８のケーブルマネージャにおいて、前記第二の複数の隔たった指状体がその基端付近に平坦な部分を有する、ケーブルマネージャ。
【請求項１５】
請求項８のケーブルマネージャにおいて、前記第二の複数の隔たった指状体がその末端に円弧状面を有する、ケーブルマネージャ。
【請求項１６】
ネットワークラックに取り付け可能なケーブルマネージャにおいて、
中央部分であって、ネットワークラック内に嵌まり得る寸法とされた長手方向幅と、所定の高さと、前側部と、後側部と、前記中央部分の長手方向両端に設けられたラック取り付け穴とを有する、中央部分と、
前記中央部分の前記前側部から伸びる前側ケーブル配線部分であって、前記中央部分の前記前側部から水平方向に伸びる第一の複数の隔たった指状体を有する前側ケーブル配線部分と、
前記中央部分の前記後側部から伸びる後側ケーブル配線部分であって、前記中央部分の前記後側部から水平方向に伸びる第二の複数の隔たった指状体を有する後側ケーブル配線部分と、
前記第一の複数の指状体または前記第二の複数の指状体に回転可能に取り付けることのできるヒンジ式カバーとを備え、
前記第一及び第二の複数の指状体の各々は、その上方に配線されたケーブルの曲げ半径の制御を可能にする円弧状面を有し、前記円弧状面に沿って中間に配置され且つ前記指状体の末端から前記指状体の基端に向けて伸びるようにスリットが設けられ、
前記第一及び第二の指状体の各々は、前記円弧状面上で前記末端付近から隣接する前記指状体との間の受け入れスペース内に水平方向に伸びる一対の耳状体が背中合わせに設けられ、
前記耳状体は、前記受け入れスペース内へのケーブルの挿入及び前記受け入れスペースからのケーブルの除去を助ける、ケーブルマネージャ。
【請求項１７】
請求項１６のケーブルマネージャにおいて、前記中央部分が、前記前側ケーブル配線部分と前記後側ケーブル配線部分との間へのアクセスを可能にする少なくとも１つの貫通する開口部を備える、ケーブルマネージャ。
【請求項１８】
請求項１７のケーブルマネージャにおいて、少なくとも１つの貫通する開口部が曲げ半径の制御を可能にする湾曲した側壁を有する、ケーブルマネージャ。
【請求項１９】
請求項１６のケーブルマネージャにおいて、前記第一の複数の隔たった指状体が２つの隔たった列状に配置される、ケーブルマネージャ。
【請求項２０】
請求項１９のケーブルマネージャにおいて、前記ヒンジ式カバーが、２つの隔たった列の隣接する前記指状体に形成された対向する一対の前記耳状体に取り付け可能である、ケーブルマネージャ。
【請求項２１】
請求項２０のケーブルマネージャにおいて、カバーがヒンジブラケットを備える、ケーブルマネージャ。
【請求項２２】
請求項２１のケーブルマネージャにおいて、前記ヒンジブラケットが耳状体の隣接するものの間にヒンジ式に取り付けられる、ケーブルマネージャ。
【請求項２３】
請求項２２のケーブルマネージャにおいて、前記カバーが、前記カバーを開き位置に係止し得るように前記耳状体の１つと係止可能な係止タブを更に備える、ケーブルマネージャ。
【請求項２４】
請求項２２のケーブルマネージャにおいて、前記カバーが解放タブを備える、ケーブルマネージャ。
【請求項２５】
請求項２２のケーブルマネージャにおいて、前記カバーが対向した２方向にヒンジ式に開放可能である、ケーブルマネージャ。
【請求項２６】
請求項１６のケーブルマネージャにおいて、前記第二の複数の隔たった指状体が２つの隔たった列に配置される、ケーブルマネージャ。
【請求項２７】
請求項２６のケーブルマネージャにおいて、前記中央部分の前記後側部が下降段付き部分を有し、前記２つの隔たった列が前記中央部分の所定の高さよりも低い高さを有するようにした、ケーブルマネージャ。
【請求項２８】
請求項２６のケーブルマネージャにおいて、前記第二の複数の隔たった指状体に取り付け可能な第二のカバーを更に備える、ケーブルマネージャ。
【請求項２９】
ネットワークラックシステムにおいて、
取り付け脚部を有するラックフレームと、
前記ラックフレームの取り付け脚部に取り付けられた少なくとも１つのパッチパネルと、
少なくとも１つのパッチパネルに隣接するように前記取り付け脚部に取り付けられたケーブルマネージャであって、
中央部分であって、前記ラックフレーム内に嵌まり得る寸法とされた長手方向幅と、前側部と、後側部と、前記中央部分の長手方向両端に設けられたラック取り付け穴とを有する、中央部分と、
前記中央部分の前記前側部から伸びる前側ケーブル配線部分であって、前記中央部分の前記前側部から水平方向に伸びる第一の複数の隔たった指状体と、前記第一の複数の隔たった指状体の複数のものの末端から伸びる保持フランジとを有する前記前側ケーブル配線部分と、
前記中央部分の前記後側部からから伸びる後側ケーブル配線部分であって、前記中央部分の前記後側部から水平方向に伸びる第二の複数の隔たった指状体と、前記第二の複数の隔たった指状体の列の両端のものの末端から伸びる保持フランジとを有する後側ケーブル配線部分と、
前記第一の複数の指状体または前記第二の複数の指状体に回転可能に取り付けることのできるヒンジ式カバーとを有し、前記第一及び第二の複数の指状体の各々は、その上方に配線されたケーブルの曲げ半径の制御を可能にする円弧状面を有し、前記円弧状面に沿って中間に配置され且つ前記指状体の末端から前記指状体の基端に向けて伸びるようにスリットが設けられ、
前記第一及び第二の指状体の各々は、前記円弧状面上で前記末端付近から隣接する前記指状体との間の受け入れスペース内に水平方向に伸びる一対の耳状体が背中合わせに設けられて、
前記耳状体は、前記受け入れスペース内へのケーブルの挿入及び前記受け入れスペースからのケーブルの除去を助ける、前記ケーブルマネージャとを備える、ネットワークラックシステム。
【請求項３０】
請求項２９のネットワークラックシステムにおいて、少なくとも１つのパッチパネルがパッチング側部及び配電側部を有し、前側ケーブル配線部分が前記パッチング側部に設けられ、前記後側ケーブル配線部分が配電側部に設けられる、ネットワークラックシステム。
【請求項３１】
請求項３０のネットワークラックシステムにおいて、前記ケーブルマネージャの前記中央部分の前記後側部が下降段付き部分を有し、２つの隔たった列が前記中央部分の所定の高さよりも低い高さを有するようにした、ネットワークラックシステム。
【請求項３２】
請求項２９のネットワークラックシステムにおいて、前記第一の複数の指状体が、曲げ半径の制御を可能にする円弧状面を有する、ネットワークラックシステム。
【請求項３３】
請求項２９のネットワークラックシステムにおいて、前記中央部分が、前記前側ケーブル配線部分と前記後側ケーブル配線部分との間へのアクセスを可能にする少なくとも１つの貫通する開口部を備える、ネットワークラックシステム。
【請求項３４】
ネットワークラックシステムにおいて、
取り付け脚部を有するラックフレームと、
前記ラックフレームの取り付け脚部に取り付けられた少なくとも１つのパッチパネルと、
前記取り付け脚部に取り付けられ且つ前記少なくとも１つのパッチパネルに隣接するケーブルマネージャであって、
中央部分であって、ネットワークラック内に嵌まり得る寸法とされた長手方向幅と、前側部と、後側部と、前記中央部分の長手方向両端に設けられたラック取り付け穴とを有する、中央部分と、
前記中央部分の前記前側部から伸びる前側ケーブル配線部分であって、前記中央部分の前記前側部から水平方向に伸びる複数の隔たった指状体を有する前記前側ケーブル配線部分とを有する前記ケーブルマネージャと、を備え、
複数の隔たった前記指状体の各々は曲げ半径の制御を可能にする円弧状面を有し、前記円弧状面に沿って中間に配置され且つ前記指状体の末端から前記指状体の基端に向けて伸びるようにスリットが設けられ、
前記指状体の各々は、前記円弧状面上で前記末端付近から隣接する前記指状体との間の受け入れスペース内に水平方向に伸びる一対の耳状体が背中合わせに設けられて、
前記耳状体は、前記受け入れスペース内へのケーブルの挿入及び前記受け入れスペースからのケーブルの除去を助ける、ネットワークラックシステム。
【請求項３５】
請求項３４のネットワークラックシステムにおいて、前記少なくとも１つのパッチパネルがパッチング側部及び配電側部を有し、前記前側ケーブル配線部分が前記パッチング側部に設けられる、ネットワークラックシステム。
【請求項３６】
請求項３５のネットワークラックシステムにおいて、前記ケーブルマネージャの前記中央部分の前記後側部が下降段付き部分を有し、２つの隔たった列が前記中央部分の所定の高さ以下の高さを有するようにした、ネットワークラックシステム。
【請求項３７】
請求項３４のネットワークラックシステムにおいて、複数の隔たった指状体が２つの隔たった列に提供され、ヒンジ式カバーが、隣接する前記指状体に形成された対向する一対の前記耳状体にヒンジ式に取り付け可能である、ネットワークラックシステム。
【発明の詳細な説明】
【０００２】
１．発明の分野
本発明は、全体として、パッチパネル又はネットワーク装置のラック用のケーブルマネージャ、より具体的には、改良された指状体及びカバーの設計を備える、配電ラック上に又はキャビネット内にて隣接するパッチパネル又はネットワーク装置と共に使用されるケーブルマネージャに関する。
【０００３】
２．関連技術の説明
データ、音声、ビデオ又はオーディオ情報を提供するため、電気通信業におけるテＵＴＰ、ＳｃＴＰ、同軸ケーブル及び光ファイバケーブルのようなケーブルの使用は益々、増加しつつある。パッチパネル又はネットワーク装置の収納体及びラックシステムは、業界で周知であり、装置又はクロス接続システムに又はこれらのシステムからかかるケーブルを整頓し且つ編成するため提供される。これらのシステムは、通常、１つ又はより多数のパッチパネル、ネットワーク装置光ファイバ収納体等が取り付けられる標準型のＥＩＡ１９インチ（４８．２６ｃｍ）、２３インチ（５８．４２ｃｍ）又はその他の配電フレームラックを有している。ラック内の収納体は、スラックトレー、接合トレー、ケーブル編成器及びパッチパネルのような作用を含む、色々な機能を果たす。これらのラックは、また、装置と相互接続するとき、内部接続用又はクロス接続用の収納体としても機能し、又は、ケーブルをその長さに沿って端末接続し、接合し、パッチ止めし又は格納することを許容する電気通信クローゼットとしての機能を果たすことができる。
【０００４】
ラックは、通常、該ラックの垂直脚部又は壁に沿って配置された取り付け穴を有するフレームにて形成されている。パッチパネルのようなパッチング装置は、ラックに取り付けられており、作用可能な装置又は別のパッチパネルから来るパッチコードをクロス接続し且つ相互接続することのできる箇所であるパッチング側部と、ネットワーク又はワークステーションからのケーブルが端末接続される箇所である配電側部とを全体として画成する。全体として、ケーブルを支持し且つ配線するため何らかの形態のケーブルマネージャもラックの両側部に設けられている。銅ケーブルの場合でさえ、有害な曲がりを防止することは常に重要である一方、コネクタラックシステムに対する光ファイバコネクタの使用が増すに伴い、ケーブルの適正な整頓及び曲げ半径の制御が益々、重要になっている。多くの既知のシステムは、曲げ半径を完全に制御することができず、使用が非効率的となり、製造が困難であること又は、その他の欠点を有しており、このため、ネットワークラックシステムのケーブルの整頓を改良することが望まれる。
【０００５】
【発明の概要】
このため、本発明の１つの目的は、改良されたケーブルマネージャを提供することである。
【０００６】
本発明の更なる目的は、曲げ半径のより効率的な制御を可能にする改良された指状体の設計とされたネットワークラック用のケーブルマネージャを提供することである。
【０００７】
本発明の別の目的は、ネットワークラックの各側部に対し改良されたケーブルの管理を可能にする単一のケーブルマネージャを提供することである。
本発明の更に別の目的は、ネットワークシステム用のヒンジ式カバーを有する、取り付けが容易な改良された成形ケーブルマネージャを提供することである。
【０００８】
本発明の上記及びその他の特徴及び目的の色々なものがネットワークラックに取り付け可能なケーブルマネージャによって提供される。該ケーブルマネージャは、中央部分と、前側のケーブル配線部分とを有している。中央部分は、ネットワークラック内に嵌まり得る寸法とされた長手方向幅と、前側部と、後側部と、中央部分の長手方向両端に設けられたラック取り付け穴とを有している。前側ケーブル配線部分は、中央部分の前側部から伸びており、また、中央部分の前側部から横方向に伸びる複数の隔たった指状体を有している。複数の隔たった指状体の各々は、曲げ半径の制御を可能にする円弧状面を有している。スリットが円弧状面の中間に沿って配置され且つ指状体の末端から指状体の基端に向けて伸びている。少なくとも１つの耳状体が隣接する指状体の間の受け入れ空間で末端から横方向に伸びている。
【０００９】
本発明の上記及びその他の特徴並びに目的の色々なものは、また、中央部分と、前側ケーブル配線部分と、後側ケーブル配線部分とを備える、ネットワークラックに取り付け可能なケーブルマネージャによっても提供される。中央部分は、ネットワークラック内に嵌まり得る寸法とされた長手方向幅と、前側部と、後側部と、中央部分の長手方向両端に設けられたラック取り付け穴とを有している。前側ケーブル配線部分は、中央部分の前側部から伸びており、また、中央部分の前側部から横方向に伸びる第一の複数の隔たった指状体と、第一の複数の隔たった指状体の多数のものの末端から伸びる保持フランジとを有している。後側ケーブル配線部分は、中央部分の後側部から伸びており、後側ケーブル配線部分は、中央部分の後側部から横方向に伸びる第二の複数の隔たった指状体と、第二の複数の隔たった指状体の多数のものの末端から伸びる保持フランジとを有している。
【００１０】
本発明の上記及びその他の特徴並びに目的の色々なものは、上記のケーブルマネージャを保持するネットワークラックによっても提供される。
本発明の上記及び更なる目的、特徴及び有利な点は、添付図面に関する好ましい実施の形態の以下の説明から明らかになるであろう。
【００１１】
【好ましい実施の形態の詳細な説明】
本発明の一例としての実施の形態によるケーブルマネージャ１０が全体として図１乃至図１０に図示されており、ネットワークラック内で水平方向にケーブルを整頓する上で有用である。
【００１２】
ケーブルマネージャ１０は、好ましくは同一の半体である２つの半体を成形し、次に共にスナップ嵌めして単一のケーブルマネージャを形成し、該ケーブルマネージャがネットワークラックのパッチング側部及び配電側部の双方に取り付け可能であり且つその双方の側部に対してケーブルを整頓することを可能にするように、射出成形法にて形成されることが好ましい。適宜なラックは色々な数のラック要素を取り付けることを許容する隔たった垂直方向レール又は脚部を有する４８．２６ｃｍ（１９インチ）又は５８．４２ｃｍ（２３インチ）ＥＩＡネットワークラックである。しかし、本発明は、その他の既知の又はその後に開発されるラックにも等しく適用可能である。更に、ネットワークラックは上記のＥＩＡラックの場合のように開放フレーム構造とする必要はなく、ケーブルマネージャ１０、パッチパネル等のようなラック要素を受け入れ且つ固定することのできる開口部を画成する取り付け作用部分及び壁を有する取り付けキャビネット又は収納体を含むことができる。
【００１３】
図１及び図２から理解し得るように、ケーブルマネージャ１０は、全体として、前側ケーブル配線部分１２と、後側ケーブル配線部分１４と、貫通能力を有することが好ましい中央部分１６とを備えている。前側及び後側ケーブル配線部分１２、１４は、全体として、各々がベース部分１８、２０により形成された背中同士を合わせた一対の通路と、それぞれのベース部分の少なくとも一方、好ましくはその両側部（前側及び後側）に沿って長手方向に配置された、水平方向に伸びる複数の直立指状体３０、４０とを備えている。
【００１４】
中央部分１６は、適宜な高さと、所望のネットワークラック内に嵌まり得る寸法とされた長手方向幅と、ケーブルマネージャ１０が取り付けられたラック脚部６０（図３及び図７）又は取り付けキャビネット（図示せず）の深さ寸法に近似する深さとを有している。４８．２６ｃｍ（１９インチ）のネットワークラックの場合、この幅は、ラックに水平に取り付けたとき約４８．２６ｃｍ（約１９インチ）であり、この高さは標準的な単一装置の高さである４４．４５ｍｍ（１．７５インチ）の倍数となろう。しかし、これらは一例であり、使用されるラックの寸法及び型式に依存して変更可能である。中央部分１６の長手方向端部の各々は標準的ラックシステムの脚部６０のようなフレーム構造又は取り付けキャビネットの壁（図示せず）にケーブルマネージャを取り付ける複数の取り付け穴５０を有している。脚部６０（又はその他の同等の取り付けフレーム構造）は取り付け穴及び該穴と整合されたラック開口を貫通して伸びる、ボルトのような適宜な取り付け要素によりケーブルマネージャをラックに取り付けることを許容する色々な開口を有している。ベース部分１８、２０は、中央部分１６を備えるように、中央壁及び複数の補強壁２２により一体に接続されている。
【００１５】
ケーブルマネージャの中央部分１６は１つ又はより多数の貫通開口部５６を有する貫通部分であることが好ましい。貫通開口部５６は、ケーブルをラックの一側部から反対側側部まで（すなわちパッチング側部から配電側部まで及びその逆）に配線する能力を施工者に許容する。貫通する開口部５６には貫通開口部を通じて配線されたケーブルに対し曲げ半径の制御を可能にする湾曲した側壁が形成されることが好ましい。
【００１６】
ケーブルマネージャの前側ケーブル配線側部（前側部分１２）は、作用可能な装置が相互に接続され又はパッチパネルのパッチコードがクロス接続される箇所であるパッチング側部を形成することが好ましい。図１、図４、図５及び図７に図示するように、パッチング側部の指状体３０はケーブル通路を画成する平行で且つ隔てられた２列の形態にてベース部分１８から伸びている。指状体は、隣接する指状体３０から分離されており、ケーブル通路内からラックの上方又は下方の何れかの装置までケーブルを配線するためのスペース３２を提供する。指状体３０は、図示するようにフレーム脚部６０を超えて外方に伸びることが好ましい。複数のパッチング側部の指状体３０の各々は、指状体の少なくとも末端部分にて内方を向いた円弧状面を有するように形成される。指状体３０の円弧状面は線及びケーブルに対し曲げ半径の制御面を提供する所定の最小半径を有する。この最小曲げ半径は、使用される線及びケーブルの型式に依存して変更可能である。一例としての半径は多くの適用例に対し「１」又はそれ以上とすることができる。しかし、最小曲げ半径は、ケーブルマネージャが整頓すべき所望のケーブルの基準に相応するように選ぶ必要がある。
【００１７】
指状体３０にはまた、末端付近に形成された一対の耳状体３４も設けられており、該耳状体の各々は隣接する指状体３０に形成された対向する耳状体に向けて水平方向に伸びている。耳状体３４は、ケーブルを指状体の間に挿入し且つ該指状体の間から除去することを助ける角度付き面を提供するほぼ三角形の形態をしていすることが好ましい。円弧状断面の指状体を形成することは比較的硬い構造となることが分かったから、パッチング側部の指状体３０の各々はまた指状体の円弧状面の中間に配置されたスリット３６も有している。スリット３６は指状体３０の長さの略１／２だけベース部に向けて末端から伸びるように形成されている。スリット３６は、ケーブルを配線する間、指状体３０に対し追加的な可撓性を提供する。
【００１８】
図３乃至図５に最も良く図示するように、ケーブルマネージャ１０のパッチング側部は１８０゜上方又は下方に回転させることができるヒンジ式に接続した前側カバー５２を有している。すなわち、カバー５２は一側部から開放することができる。カバー５２も完全に取り外すこともできる。カバー５２は開口を有する複数の隔てた対のヒンジブラケット５４によりケーブルマネージャ１０にヒンジ止め式に接続されている。ヒンジブラケット５４は隣接するパッチング指状体３０に形成された一対の対向する耳状体３４の頂部と解放可能に係合し得るような寸法とされている。カバー５２の残りの外周を超えて伸びることによりカバー５２を容易に解放することを許容し得るように解放タブ６２がヒンジブラケット５４の間に形成されている。
【００１９】
図９及び図１０に関してヒンジ式カバー５２を更に詳細に説明する。ヒンジブラケット５４は、その周りで回転するのを許容し得るように相応する耳状体３４と合わさる半球状開口５５と、カバー５２が１８０゜回転したとき、カバーを開き位置に係止し得るように耳状体３４の端縁と係合する係止タブ５３とを有している。カバー５２は、カバーを前方に引張ることにより閉じて係止タブ５３を開放し且つカバー５２を閉じた位置に回転して戻すのを許容することができる。
【００２０】
図７には、複数のパッチパネル６４に隣接して一対のラック脚部６０を有するネットワークラックに取り付けられた一対のケーブルマネージャ１０が図示されている。図示するように、ケーブルマネージャ１０はパッチパネル６４の上方に且つ（又は）下方の何れかに設けることができる。下側ケーブルマネージャ１０は下方位置にてカバー５２が回転して開いた状態で図示されている。理解し得るように、パッチパネル６４に接続されたコネクタを端末接続するケーブル７０がスペース３２を貫通し且つ指状体３０の周りでケーブル配線部分内に配線され、これにより両端にケーブルが存在する。本発明のケーブルマネージャ１０によれば、水平方向への優れたケーブルの整頓を実現することができる。
【００２１】
ケーブルマネージャの後側部（後側部分１４）は、ネットワーク装置又はワークステーションからのケーブルを端末接続することができる箇所である配電側部を形成することが好ましい。図２及び図６に図示するように、少なくとも末端部分に円弧状部分４２を有し且つ基端部分に平坦部分４４を有する配電側指状体４０が形成される。前側パッチング側部に関して上述したように、円弧状の形態の指状体が形成されるとき、これら指状体は比較的硬い。配電側部にて施工者はその手及びその他の工具のため隣接するパッチパネルにより広くアクセスしなければならない場合がしばしばある。このように、指状体４０を最初の平坦なプラットフォーム４４を有するように形成することにより、指状体４０はより可撓性に形成することができる。配電側部における指状体４０の末端は管路カバー５８と係合可能なリップ部４８を有している。適宜な管路カバーを直立部材４９にスナップ嵌めすることができる（図６及び図８参照）。これと代替的に、前側部分に使用されるようなヒンジ式カバーを設けてもよい。
【００２２】
図２及び図８に図示するように、配電側部はまた施工者の工具及び（又は）手を受け入れるため追加的なスペースを提供する下降段付き部分４６も備えている。すなわち、配電側部におけるベース部分２０はパッチング側部におけるベース部分１８よりも狭小であり、配電側部の指状体４０は隣接するパッチパネルの後側部から僅かだけ更に隔てられており、施工者に対する更なる隙間を提供する。
【００２３】
両組の指状体３０、４０から選ばれた指状体は、またカバーが存在しないとき、配線したケーブル７０の保持を助け得るように末端に形成されたそれぞれの保持フランジ３８、３９も有している。
【００２４】
本発明の特定の実施の形態に関して図示し且つ説明したが、そのより広い特徴にて本発明から逸脱せずに、変更及び改変が可能であることは当該技術分野の当業者に明らかであろう。上記の説明及び添付図面に掲げた事項は単に一例として且つ非限定的に記載したものである。
【図面の簡単な説明】
【図１】  本発明のケーブルマネージャの頂面前側斜視図である。
【図２】  後側カバーを取り外した、図１のケーブルマネージャの頂面後側斜視図である。
【図３】  カバーが閉じた状態で示す、図１のケーブルマネージャの頂面前側斜視図である。
【図４】  前側カバーが頂部の開き位置にある、図１のケーブルマネージャの頂面前側斜視図である。
【図５】  カバーが底部の開き位置にある、図１のケーブルマネージャの頂面前側斜視図である。
【図６】  カバーが閉じた状態で示す、図１のケーブルマネージャの頂面後側斜視図である。
【図７】  ラックに取り付けられた一対のケーブルマネージャを有するネットワークラックの頂面前側斜視図である。
【図８】  ラックに取り付けられた一対のケーブルマネージャを有するネットワークラックの頂面後側斜視図である。
【図９】  ヒンジ式カバーの部分斜視図である。
【図１０】  開き位置にある図９のヒンジ式カバーの部分図である。
【図１】
0004790190.tif 000002
【図２】
0004790190.tif 000003
【図３】
0004790190.tif 000004
【図４】
0004790190.tif 000005
【図５】
0004790190.tif 000006
【図６】
0004790190.tif 000007
【図７】
0004790190.tif 000008
【図８】
0004790190.tif 000009
【図９】
0004790190.tif 000010
【図１０】
0004790190.tif 000011